(57)【要約】【課題】  賞味期限のある商品を販売するに際して、賞味期限が迫ったＡ時間以降に販売しないように、又賞味期限のＡ時間前であってＢ時間以降に販売した場合には特別のサービスを付与する販売システムの提供。【解決手段】  商品１に貼り付けるバーコードシート２に賞味期限を表示し、該バーコードを読み取ってコンピュータで管理すると共にエコポイントを付与し、そしてレシートにはその旨を表示することが出来る。【選択図】    図１
2005122249.tif 000002
【特許請求の範囲】
【請求項１】
賞味期限のある商品を販売するに際して、賞味期限が迫ったＡ時間以降に販売しないように、又賞味期限のＡ時間前であってＢ時間以降に販売した場合には特別のエコポイントを付与し、その旨をレシートに表示することが出来るように、該商品に貼り付けたバーコードを読み取ってコンピュータで管理することを特徴とする賞味期限付き商品の販売システム。
【請求項２】
商品に付されるバーコードにおいて、該商品の賞味期限を表示する為の月、日、時刻を設けたことを特徴とする商品バーコード。
【発明の詳細な説明】
【技術分野】
【０００１】
本発明は賞味期限付き商品の販売を行うシステムであって、商品に貼り付けられるバーコードシートを利用して管理するシステムに関するものである。
【背景技術】
【０００２】
デパートやスーパーなどの食品売り場では、賞味期限のある商品が数多く販売されている。これらの商品に関しては、賞味期限が近づいたところで売値を下げて販売され、売れ残りがないようにしている。そこで、一般的に店員は賞味期限が近づいた商品に対して値引きした値段を貼り付けし、消費者の販売意欲を促している。
【０００３】
消費者は安くなった商品を選んで購入することも多く、店舗及び消費者双方に利益がある為に賞味期限付き商品に関しての上記販売方法が恒例化している。ところが、安くなった値段をレジ係りが正しく入力することを忘れたり、また賞味期限を過ぎてしまった商品をそのまま正規の値段で販売してしまうといったことも多い。数多くの賞味期限付き商品に対して、その期限の管理は容易でない。
【０００４】
一方、賞味期限付き商品はその期限前に販売しなくてはならないが、２分〜３分前では意味がなく、少なくとも１時間前、又は２〜３時間前であることが好ましい。例えば、弁当の賞味期限が夜の２０時である場合、１９時に販売する際の値引き額と、１８時に販売する値引き額とは同じでなく、この値引き額も時間に応じて段階的に変えられる。
【０００５】
従来の技術として、特開２００２−２６９２００号に係る「飲食品販売システム、プログラム、及び記録媒体」が知られている。この技術は、賞味期限が迫った飲食品の販売を促進し、可能な限り廃棄される飲食品を削減する為の飲食品販売システムであり、サーバ内の飲食品情報ＤＢ１３にネットワーク接続された店舗用クライアント装置や飲食品供給者用クライアント装置より現在各店舗に存在する飲食品の情報を集める。その情報のうち、賞味期限が近づいた商品を特売品として抽出し、ユーザのクライアント装置に送信し、電子決済付きの予約を持つ。ユーザから予約があれば、その店舗に通知し、ユーザはその店舗に特売品を取りに行くことが出来る。
【０００６】
この「飲食品販売システム」は、飲食品が賞味期限切れによって廃棄されることを可能な限り防止することであり、目的とすることは本発明と共通しているが、目的を達成する為の手段はまったく違っている。すなわち、上記従来技術では個々の消費者の購買意欲を促すものではなく、又レジ係りの会計ミスを防止するものでもない。
【特許文献１】特開２００２−２６９２００号に係る「飲食品販売システム、プログラム、及び記録媒体」
【発明の開示】
【発明が解決しようとする課題】
【０００７】
このように、賞味期限付き商品の販売に当って上記のごとき問題がある。本発明が解決しようとする課題はこの問題点であり、商品に貼り付けるバーコードにて賞味期限を管理し、賞味期限が切れた商品を販売することがないように、そして賞味期限が迫った商品を販売するに当ってはエコポイントを与えることが出来る販売システム及びバーコードを提供する。ここで、上記エコポイントとは、期限切れ間近かの商品を買った場合に与える特別のポイントである。
【課題を解決するための手段】
【０００８】
本発明に係る賞味期限付き商品の販売システムは、該商品に付したバーコードにて管理され、賞味期限が切れた商品が誤って販売されないようにしている。又、賞味期限が迫った商品に関しては消費者にエコポイントを与えることで、該商品の販売を促進することが出来る。又、買い物レシートにはエコポイントがついている旨の表示がなされる。
【０００９】
ところで、賞味期限のある商品には、「商品コード」と「賞味期限時刻」の２つを同時に表すバーコードが使用される。すなわち、「２９ＭＭＤＤＨＨ△△△△ｃｄ」で構成されるバーコードが各商品に付される。ここで、上記ＭＭは賞味期限を示す月を、ＤＤは賞味期限を示す日を、ＨＨは賞味期限を示す時刻を表示する。例えば、１０月１０日２３時が賞味期限であるならば、「２９１０１０２３△△△△ｃｄ」と表示される。
【００１０】
ここで、「△△△△」は商品コードを表している。上記「２９１０１０２３△△△△ｃｄ」なるバーコードが付された商品は、通常２１時までに販売されるが、それ以前の設定時刻(例えば１９時)以降にレジを通過する場合には、通常のポイントの他にエコポイントが付加される。又、２１時以降にレジを通過することがないように販売ミスを防止する。
【発明の効果】
【００１１】
本発明は賞味期限付き商品に特別なバーコードシールを貼り付け、該バーコードにて商品の販売管理が行われる。従って、賞味期限の切れた商品が誤って販売されることはなく、又賞味期限の迫った商品に対してはエコポイントをサービスすることが出来、販売の促進に結びつく。商品に付されているバーコードを基にして管理されるために、賞味期間時刻前のエコポイント数の設定もコンピュータにて簡単に一括して行うことが出来、レジ係りが間違う心配はない。
【００１２】
上記バーコードシールは商品を製造する際に貼り付けられ、該商品を販売する店では、各商品に対してエコポイントを付与する時間帯を前以てコンピュータに入力しておけばよい。例えば、賞味期限切れ２時間前では２０ポイント、３時間前では１０ポイントといった具合に設定しておくだけで、自動的に会計がなされてレシートにその旨が表示される。
【実施例】
【００１３】
図１は賞味期限付き商品１にバーコードシール２を貼着した場合を示している。バーコードシール２は商品１の片隅又は裏側に貼り付けられて、会計を行う際にはレジにて該商品の商品名、価格がレシートに打ち込まれる。そして、バーコードシール２に表示されているバーコードは、上記商品名や価格の他に賞味期限が表示されていて、賞味期限が該バーコードにて管理される。
【００１４】
該商品１の賞味期限が１０月１０日２３時とする場合、バーコードは「２９１０１０２３△△△△ｃｄ」として表示される。一般的には［２９ＭＭＤＤＨＨ△△△△ｃｄ］として表され、ＭＭは月を、ＤＤは日を、ＨＨ時刻を表すことが出来る。そこで、１０月１０日の２３時の場合であれば、ＭＭは１０、ＤＤは１０、ＨＨは２３となる。ここで、上記［２９ＭＭＤＤＨＨ△△△△ｃｄ］の「ｃｄ」とはチャックデジットである。
【００１５】
そして「△△△△」の部分は４桁の商品コードで、商品名や価格を表示している。製造された商品に、上記バーコードを表示したバーコードシールをコンピュータにて作成して貼り付ける。該商品１を販売するに際して、レジではバーコードを読み取って会計し、同時に商品の賞味期限が管理される。
(１)賞味期限が切れた商品１はレジを通過しないようにしている。
【００１６】
すなわち、１０月１０日の２３時の賞味期限はレジにて読み取られるために、一般には２時間前の２１時以降には販売されないようにコンピュータにて管理される。
(２)賞味期限が迫った商品を販売する為に、通常のポイント以外にエコポイントを付与することが出来る。
【００１７】
例えば、２３時の４時間前である１９時以降に消費者が該商品を購入する際には、特別なエコポイントをサービスすることが出来る。これも、２１時前の時刻を複数段階に設定し、各時間帯によってエコポイント数を変えることも出来る。この管理は、各商品について前以てコンピュータに条件を入力しておき、定めた時刻になることで自動的にエコポイントが付与されるようになる。
具体的には、１００円のおにぎりの場合、１９時以降にレジを通過すれば、２０ポイントが特別に付与され、レシートにその旨が表示される。
【図面の簡単な説明】
【００１８】
【図１】バーコードシールを貼着した商品。
【符号の説明】
【００１９】
１  商品
２  バーコードシール
【図１】
2005122249.tif 000003